(57)【要約】【課題】製造コストの削減および組立作業性の向上が可能なディスク装置を提供する。【解決手段】このディスク装置では、チルト機構９は、可動シャーシ３の支持突起部材６が設けられた側と反対側の端部を固定シャーシ１から離れる方向に付勢する圧縮コイルバネ１０と、可動シャーシ３の圧縮コイルバネ１０が付勢する側の端部と固定シャーシ１との間の距離を調整するための調整ネジ１１と、可動シャーシ３に取り付けられ、調整ネジ１１を支持するための樹脂製の支持部１２とを含む。【選択図】図２
2004280983.tif 000002
【特許請求の範囲】
【請求項１】
ディスクを載置して回転させるためのディスクモータと、前記ディスクモータが固定的に取り付けられる金属製の固定シャーシと、前記ディスクと所定の距離を隔てて配置され、前記ディスクの半径方向に移動される光ピックアップと、前記光ピックアップを移動可能に支持する金属製の可動シャーシと、前記可動シャーシの前記光ピックアップの移動方向と直交する方向の一方の端部に設けられた半球状の先端部を有する支持突起部材と、前記固定シャーシに設けられ、前記支持突起部材を移動可能に支持する支持受部材と、前記支持突起部材を支点として前記可動シャーシを傾けるための１つのチルト機構とを備えたディスク装置において、
前記チルト機構は、
前記可動シャーシの前記支持突起部材が設けられた側と反対側の端部を前記固定シャーシから離れる方向に付勢する圧縮コイルバネと、
前記可動シャーシの前記圧縮コイルバネが付勢する側の端部と前記固定シャーシとの間の距離を調整するための調整ネジと、
前記金属製の可動シャーシに取り付けられ、前記調整ネジを支持するための樹脂製の支持部とを含み、
前記調整ネジは、前記固定シャーシに係合するネジ部と、裁頭円錐形状の頭部とを有し、
前記支持部は、前記調整ネジのネジ部が挿入され、前記調整ネジのネジ部に対して可動シャーシが所定の角度傾くことが可能なような内面形状を有するガイド穴部と、前記調整ネジの頭部と当接するとともに、前記可動シャーシが傾くことに応じて前記調整ネジの頭部に対して当接面が接触しながら移動可能な曲面形状を有する当接部とを含む、ディスク装置。
【請求項２】
ディスクを載置して回転させるためのディスクモータが固定的に取り付けられる固定シャーシと、
光ピックアップを移動可能に支持する可動シャーシと、
前記可動シャーシの前記光ピックアップの移動方向と直交する方向の一方の端部を支点として、前記可動シャーシを傾けるための１つのチルト機構とを備え、
前記チルト機構は、
前記可動シャーシを前記固定シャーシから離れる方向に付勢するバネ部材と、
前記可動シャーシと前記固定シャーシとの間の距離を調整するための調整ネジと、
前記調整ネジを支持するための支持部とを含む、ディスク装置。
【請求項３】
前記チルト機構の支持部は、前記金属製の可動シャーシに取り付けられ、前記調整ネジを前記調整ネジに対して前記可動シャーシが所定の角度傾くことが可能なように支持するための樹脂製の支持部を含む、請求項２に記載のディスク装置。
【請求項４】
前記調整ネジは、前記固定シャーシに係合するネジ部を有し、
前記支持部は、前記調整ネジのネジ部が挿入され、前記調整ネジのネジ部に対して可動シャーシが所定の角度傾くことが可能なような内面形状を有するガイド穴部を含む、請求項２または３に記載のディスク装置。
【請求項５】
前記調整ネジは、裁頭円錐形状の頭部を有し、
前記支持部は、前記調整ネジの頭部と当接するとともに、前記可動シャーシが傾くことに応じて前記調整ネジの頭部に対して当接面が接触しながら移動可能な曲面形状を有する当接部を含む、請求項２〜４に記載のディスク装置。
【発明の詳細な説明】
【０００１】
【発明の属する技術分野】
この発明は、ディスク装置に関し、特に、光ピックアップの傾き角度を調整するためのチルト機構を備えたディスク装置に関する。
【０００２】
【従来の技術】
従来、光ピックアップの傾き角度を調整するためのチルト機構を備えた種々のディスク装置が知られている（たとえば、特許文献１、特許文献２および特許文献３参照）。
【０００３】
上記特許文献１〜３には、光ピックアップを支持する２本のシャフトのそれぞれに対してチルト機構を設けるとともに、２本のシャフトをそれぞれ傾かせることによって、光ピックアップの傾き角度を調整するようにしたディスク装置が開示されている。
【０００４】
しかしながら、上記特許文献１〜３に開示されたディスク装置では、２本のシャフトそれぞれに対して、チルト機構を設ける必要があるので、ディスク装置の構造が複雑になるという不都合があった。また、光ピックアップの傾き角度を調整するために、２本のシャフトをそれぞれ傾かせる必要があるので、光ピックアップの傾き角度を調整するための作業が煩雑になるという不都合があった。また、シャフトを傾かせるので、シャフトの長手方向に直交する方向の光ピックアップの傾き角度を調整するのが困難であった。
【０００５】
そこで、従来、上記特許文献１〜３の不都合を解消するために、シャフトの長手方向に直交する方向の光ピックアップの傾き角度を調整可能な１つのチルト機構を備えたディスク装置が提案されている（たとえば、特許文献４参照）。
【０００６】
上記特許文献４には、光ピックアップが支持されるシャフトを支持するベースを弾性変形可能な支持部材で支持するとともに、この支持部材を高さ方向に変形させることによって、シャフトの長手方向に直交する方向の光ピックアップの傾き角度を調整可能な１つのチルト機構を備えたディスク装置が開示されている。しかしながら、このようなディスク装置では、ベースを支持する支持部材が弾性変形するので、ベースを正確に位置決めするのが困難であると考えられる。このため、ベースによって支持される光ピックアップの傾き角度を正確に調整するのが困難であると考えられる。そこで、従来、シャフトの長手方向に直交する方向の光ピックアップの傾き角度を正確に調整することが可能な１つのチルト機構を備えたディスク装置が種々提案されている（たとえば、特許文献５など参照）。
【０００７】
図４は、従来の一例によるシャフトの長手方向に直交する方向の光ピックアップの傾き角度を正確に調整することが可能な１つのチルト機構を備えたディスク装置のディスク駆動部を示した上面図である。図５は、図４に対応するディスク駆動部の図４中の矢印Ａ方向から見た側面図である（図４中に示したフック部材１１３およびフック受部材１１４は省略）。図６は、図４に示した従来の一例によるディスク装置のディスク駆動部のチルト機構部分を示した拡大側面図である。
【０００８】
従来の一例によるディスク装置のディスク駆動部では、図４および図５に示すように、最下部に金属製の板材で形成された固定シャーシ１０１が設けられている。また、固定シャーシ１０１には、ディスクを載置して回転させるためのディスクモータ１０２が固定的に取り付けられている。また、固定シャーシ１０１の上方には、固定シャーシ１０１と所定の間隔を隔てて、金属製の板材で形成された可動シャーシ１０３が設けられている。この可動シャーシ１０３には、２つの金属製のシャフト１０４が平行に取り付けられている。この２つのシャフト１０４には、光ピックアップ１０５が図４中の矢印Ｂ方向（ディスクの半径方向）に移動可能に支持されている。
【０００９】
また、可動シャーシ１０３の光ピックアップ１０５の移動方向（図４中の矢印Ｂ方向）と直交する方向（図４中の矢印Ｃ方向）の一方の端部の下面には、半球状の先端部を有する支持突起部材１０６が取り付けられている。また、固定シャーシ１０１の支持突起部材１０６に対応する位置には、図４および図５に示すように、スリバチ状（球面状）の支持面を有する支持受部材１０７が設けられている。支持突起部材１０６の半球状の先端部は、支持受部材１０７の球面状の支持面に対して接触しながら移動することができるように支持受部材１０７によって支持されている。また、固定シャーシ１０１には、図５に示すように、板バネで形成された押さえ部材１０８が可動シャーシ１０３に取り付けられた支持突起部材１０６を下方に押さえるように取り付けられている。この押さえ部材１０８は、支持突起部材１０６が支持受部材１０７から浮き上がるのを防止するために設けられている。
【００１０】
可動シャーシ１０３の支持突起部材１０６が設けられた側と反対側の端部（チルト機構側端部１０３ａ）に対応する位置には、図４に示すように、１つのチルト機構１０９が設けられている。このチルト機構１０９は、支持突起部材１０６を支点として可動シャーシ１０３を上下方向（図５中の矢印Ｄ方向および矢印Ｅ方向）に傾けるために設けられている。また、チルト機構１０９は、図５および図６に示すように、突起部材１１５、突起受部材１１６、ホルダ１１７、調整ネジ１１８、板バネ１１９および板バネ固定用ネジ１２０の６つの部品によって構成されている。
【００１１】
突起部材１１５の先端部は、図６に示すように、半球状に形成されており、可動シャーシ１０３のチルト機構側端部１０３ａの下面に下方に突出するように取り付けられている。突起受部材１１６は、突起部材１１５を下側から移動可能に支持するために設けられている。ホルダ１１７は、固定シャーシ１０１に取り付けられるとともに、突起受部材１１６を上下方向に移動可能に支持するために設けられている。調整ネジ１１８は、固定シャーシ１０１に係合されるとともに、突起受部材１１６の下面に当接するように設けられている。また、調整ネジ１１８の下面には、六角レンチを挿入して調整ネジ１１８を回すための六角レンチ用穴１１８ａが形成されている。また、板バネ１１９は、突起部材１１５の上面を押さえることにより突起部材１１５が突起受部材１１６から浮き上がるのを防止するために設けられている。また、板バネ固定用ネジ１２０は、板バネ１１９を固定シャーシ１０１にネジ止めするために設けられている。
【００１２】
また、可動シャーシ１０３のチルト機構１０９の近傍および支持突起部材１０６の近傍には、図４に示すように、フック部材１１３が設けられている。固定シャーシ１０１のフック部材１１３に対応する位置には、フック部材１１３が係合するフック受部材１１４が設けられている。このフック受部材１１４は、フック部材１１３が所定の遊びをもって係合することができるような形状に形成されている。フック部材１１３とフック受部材１１４とによって、可動シャーシ１０３と固定シャーシ１０１との間の距離が所定の距離以上に離れるのが防止される。
【００１３】
次に、図５および図６を参照して、従来の一例によるディスク装置のディスク駆動部のチルト機構の動作について説明する。
【００１４】
従来の一例によるディスク装置のディスク駆動部のチルト機構の動作としては、可動シャーシ１０３を上方向（図６中の矢印Ｄ方向）に傾ける場合には、調整ネジ１１８が上方向に移動する方向に調整ネジ１１８を回す。これにより、調整ネジ１１８の上方向への移動に伴って、突起受部材１１６および突起部材１１５を介して、可動シャーシ１０３のチルト機構側端部１０３ａが上方向に移動される。これにより、可動シャーシ１０３は、支持突起部材１０６（図５参照）を支点として、上方向（図６中の矢印Ｄ方向）に傾けられる。
【００１５】
また、可動シャーシ１０３を下方向（図６中の矢印Ｅ方向）に傾ける場合には、調整ネジ１１８が下方向に移動する方向に調整ネジ１１８を回す。これにより、調整ネジ１１８の下方向への移動に伴って、板バネ１１９によって下方向に付勢されている可動シャーシ１０３のチルト機構側端部１０３ａは、下方向（図６中の矢印Ｅ方向）に移動される。これにより、可動シャーシ１０３は、支持突起部材１０６（図５参照）を支点として下方向（図６中の矢印Ｅ方向）に傾けられる。
【００１６】
また、上記特許文献５には、シャフトの長手方向に直交する方向の光ピックアップの傾き角度を正確に調整することが可能な１つのチルト機構を備えた従来のディスク装置の他の例が開示されている。上記特許文献５に開示された従来の他の例によるディスク装置のチルト機構では、圧縮コイルバネがそれぞれに装着された２つのガイド軸および螺合部材が設置されたサブプレートと、光ピックアップを支持するとともにサブプレートから離れる方向に圧縮コイルバネにより付勢される軸止部材との間の距離を、螺合部材に係合する調整ネジで調整することによって、光ピックアップの傾き角度を調整するようにしている。
【００１７】
【特許文献１】
特開平１１−２０３８０１号公報
【特許文献２】
特開平１１−３０６５４８号公報
【特許文献３】
特開２００２−９３０７４号公報
【特許文献４】
特開２００１−１０１６７０号公報
【特許文献５】
特開２００１−４３５３７号公報
【００１８】
【発明が解決しようとする課題】
しかしながら、図４に示した従来の一例によるディスク装置では、チルト機構１０９を突起部材１１５、突起受部材１１６、ホルダ１１７、調整ネジ１１８、板バネ１１９および板バネ固定用ネジ１２０の６つの部品で構成しているので、多くの部品が必要になるという不都合があった。これにより、部品点数の多さに起因して製造コストが増大するという不都合があった。その結果、ディスク装置の製造コストを削減することが困難であるという問題点があった。また、部品点数の多さに起因して、ディスク装置の組立工程数が増大するという不都合があった。このため、ディスク装置の組立作業性を向上するのが困難であるという問題点があった。
【００１９】
また、上記特許文献５に開示された従来の他の例によるディスク装置では、チルト機構を軸止部材、調整ネジ、螺合部材、２つの圧縮コイルバネおよび２つのガイド軸の７つの部品によって構成しているので、多くの部品が必要になるという不都合があった。このため、上記特許文献５に開示された従来の他の例によるディスク装置でも、図４に示した従来の一例によるディスク装置と同様の問題点があった。
【００２０】
この発明は、上記のような課題を解決するためになされたものであり、この発明の１つの目的は、製造コストの削減および組立作業性の向上が可能なディスク装置を提供することである。
【００２１】
この発明のもう１つの目的は、上記のディスク装置において、可動シャーシとディスクとの衝突を防止することである。
【００２２】
【課題を解決するための手段および発明の効果】
上記目的を達成するために、この発明の第１の局面におけるディスク装置では、ディスクを載置して回転させるためのディスクモータと、ディスクモータが固定的に取り付けられる金属製の固定シャーシと、ディスクと所定の距離を隔てて配置され、ディスクの半径方向に移動される光ピックアップと、光ピックアップを移動可能に支持する金属製の可動シャーシと、可動シャーシの光ピックアップの移動方向と直交する方向の一方の端部に設けられた半球状の先端部を有する支持突起部材と、固定シャーシに設けられ、支持突起部材を移動可能に支持する支持受部材と、支持突起部材を支点として可動シャーシを傾けるための１つのチルト機構とを備えたディスク装置において、チルト機構は、可動シャーシの支持突起部材が設けられた側と反対側の端部を固定シャーシから離れる方向に付勢する圧縮コイルバネと、可動シャーシの圧縮コイルバネが付勢する側の端部と固定シャーシとの間の距離を調整するための調整ネジと、金属製の可動シャーシに取り付けられ、調整ネジを支持するための樹脂製の支持部とを含み、調整ネジは、固定シャーシに係合するネジ部と、裁頭円錐形状の頭部とを有し、支持部は、調整ネジのネジ部が挿入され、調整ネジのネジ部に対して可動シャーシが所定の角度傾くことが可能なような内面形状を有するガイド穴部と、調整ネジの頭部と当接するとともに、可動シャーシが傾くことに応じて調整ネジの頭部に対して当接面が接触しながら移動可能な曲面形状を有する当接部とを含む。
【００２３】
この発明の第１の局面によるディスク装置では、上記のように、可動シャーシを傾けることにより光ピックアップの傾き角度を調整するためのチルト機構を、圧縮コイルバネと、調整ネジと、支持部とにより構成することによって、３つの部品でチルト機構を構成することができる。これにより、少ない部品点数でチルト機構を構成することができるので、チルト機構に必要な部品点数を削減することができる。その結果、ディスク装置の製造コストを削減することができる。また、少ない部品点数でチルト機構を構成することができるので、チルト機構を組み立てる際の組立工程数を削減することができる。これにより、ディスク装置を製造する際の組立作業性を向上することができる。
【００２４】
また、第１の局面では、調整ネジのネジ部が挿入される支持部のガイド穴部を、調整ネジのネジ部に対して可動シャーシが所定の角度傾くことが可能なような内面形状を有するように形成することによって、支持部のガイド穴部の内面が調整ネジのネジ部に当接することなく、可動シャーシを所定の角度まで傾けることができる。これにより、支持部のガイド穴部の内面が調整ネジのネジ部に当接するのに起因して、可動シャーシを傾ける動作が妨げられるのを抑制することができる。また、可動シャーシを所定の角度以上に傾けようとした場合には、支持部のガイド穴部が調整ネジに当接して、それ以上可動シャーシが傾くのが防止されるので、可動シャーシが所定の角度以上に傾けられることに起因する可動シャーシとディスクとの衝突を防止することができる。また、調整ネジの頭部に当接する支持部の当接部を、可動シャーシが傾くことに応じて調整ネジの頭部に対して当接面が接触しながら移動可能な曲面形状に形成することによって、調整ネジの頭部で可動シャーシを常に支持しながら可動シャーシを傾けることができる。これにより、可動シャーシを傾けるときに可動シャーシの位置ずれが生じるのを抑制することができる。その結果、可動シャーシに支持された光ピックアップの傾き角度を正確に調整することができる。
【００２５】
この発明の第２の局面によるディスク装置は、ディスクを載置して回転させるためのディスクモータが固定的に取り付けられる固定シャーシと、光ピックアップを移動可能に支持する可動シャーシと、可動シャーシの光ピックアップの移動方向と直交する方向の一方の端部を支点として、可動シャーシを傾けるための１つのチルト機構とを備え、チルト機構は、可動シャーシを固定シャーシから離れる方向に付勢するバネ部材と、可動シャーシと固定シャーシとの間の距離を調整するための調整ネジと、調整ネジを支持するための支持部とを含む。
【００２６】
この第２の局面によるディスク装置では、上記のように、可動シャーシを傾けることにより光ピックアップの傾き角度を調整するためのチルト機構を、バネ部材と、調整ネジと、支持部とにより構成することによって、２つまたは３つの部品でチルト機構を構成することができる。これにより、少ない部品点数でチルト機構を構成することができるので、チルト機構に必要な部品点数を削減することができる。その結果、ディスク装置の製造コストを削減することができる。また、少ない部品点数でチルト機構を構成することができるので、チルト機構を組み立てる際の組立工程数を削減することができる。これにより、ディスク装置を製造する際の組立作業性を向上することができる。
【００２７】
上記第２の局面によるディスク装置において、好ましくは、チルト機構の支持部は、金属製の可動シャーシに取り付けられ、調整ネジを調整ネジに対して可動シャーシが所定の角度傾くことが可能なように支持するための樹脂製の支持部を含む。このように構成すれば、可動シャーシが所定の角度以上に傾けられるのを防止することができる。これにより、可動シャーシが所定の角度以上に傾けられることに起因する可動シャーシとディスクとの衝突を防止することができる。
【００２８】
上記第２の局面によるディスク装置において、好ましくは、調整ネジは、固定シャーシに係合するネジ部を有し、支持部は、調整ネジのネジ部が挿入され、調整ネジのネジ部に対して可動シャーシが所定の角度傾くことが可能なような内面形状を有するガイド穴部を含む。このように構成すれば、支持部のガイド穴部の内面が調整ネジのネジ部に当接することなく、可動シャーシを所定の角度まで傾けることができる。これにより、支持部のガイド穴部の内面が調整ネジのネジ部に当接するのに起因して、可動シャーシを傾ける動作が妨げられるのを抑制することができる。また、可動シャーシを所定の角度以上に傾けようとした場合には、支持部のガイド穴部が調整ネジに当接して、それ以上可動シャーシが傾くのが防止されるので、可動シャーシが所定の角度以上に傾けられることに起因する可動シャーシとディスクとの衝突を防止することができる。
【００２９】
上記第２の局面によるディスク装置において、好ましくは、調整ネジは、裁頭円錐形状の頭部を有し、支持部は、調整ネジの頭部と当接するとともに、可動シャーシが傾くことに応じて調整ネジの頭部に対して当接面が接触しながら移動可能な曲面形状を有する当接部を含む。このように構成すれば、調整ネジの頭部で可動シャーシを常に支持しながら可動シャーシを傾けることができる。これにより、可動シャーシを傾けるときに可動シャーシの位置ずれが生じるのを抑制することができる。その結果、可動シャーシに支持された光ピックアップの傾き角度を正確に調整することができる。
【００３０】
【発明の実施の形態】
以下、本発明の実施形態を図面に基づいて説明する。
【００３１】
図１は、本発明の一実施形態によるディスク装置のディスク駆動部を示した上面図である。図２は、図１に対応するディスク駆動部の図１中の矢印Ａ方向から見た側面図である（図１中に示したフック部材１３およびフック受部材１４は省略）。図３は、図１に示した本発明の一実施形態によるディスク装置のディスク駆動部のチルト機構部分を示した拡大側面図である。図１〜図３を参照して、本発明の一実施形態によるディスク装置のディスク駆動部の構造について説明する。
【００３２】
本発明の一実施形態によるディスク装置のディスク駆動部では、図１および図２に示すように、最下部に金属製の板材で形成された固定シャーシ１が設けられている。また、固定シャーシ１には、ディスクを載置して回転させるためのディスクモータ２が固定的に取り付けられている。また、固定シャーシ１の上方には、固定シャーシ１と所定の間隔を隔てて、金属製の板材で形成された可動シャーシ３が設けられている。この可動シャーシ３には、２つの金属製のシャフト４が平行に取り付けられている。この２つのシャフト４には、光ピックアップ５が図１中の矢印Ｂ方向（ディスクの半径方向）に移動可能に支持されている。
【００３３】
また、可動シャーシ３の光ピックアップ５の移動方向（図１中の矢印Ｂ方向）と直交する方向（図１中の矢印Ｃ方向）の一方の端部の下面には、半球状の先端部を有する支持突起部材６が取り付けられている。また、固定シャーシ１の支持突起部材６に対応する位置には、図１および図２に示すように、スリバチ状（球面状）の支持面を有する支持受部材７が設けられている。支持突起部材６の半球状の先端部は、支持受部材７の球面状の支持面に対して接触しながら移動することができるように支持受部材７によって支持されている。また、固定シャーシ１には、図２に示すように、板バネで形成された押さえ部材８が可動シャーシ３に取り付けられた支持突起部材６を下方に押さえるように取り付けられている。この押さえ部材８は、支持突起部材６が支持受部材７から浮き上がるのを防止するために設けられている。
【００３４】
可動シャーシ３の支持突起部材６が設けられた側と反対側の端部（チルト機構側端部３ａ）に対応する位置には、図１に示すように、１つのチルト機構９が設けられている。このチルト機構９は、支持突起部材６を支点として可動シャーシ３を上下方向（図２中の矢印Ｄ方向および矢印Ｅ方向）に傾けるために設けられている。
【００３５】
ここで、本実施形態では、図２および図３に示すように、チルト機構９は、圧縮コイルバネ１０、調整ネジ１１および樹脂製の支持部１２の３つの部品によって構成されている。圧縮コイルバネ１０は、図３に示すように、可動シャーシ３と固定シャーシ１との間に設置されている。これにより、可動シャーシ３のチルト機構側端部３ａは、固定シャーシ１から離れる方向（上方向、図２中の矢印Ｄ方向）に付勢されている。なお、この圧縮コイルバネ１０は、本発明の「バネ部材」の一例である。また、調整ネジ１１は、可動シャーシ３の圧縮コイルバネ１０が付勢する側の端部（チルト機構側端部３ａ）と固定シャーシ１との間の距離を調整するために設けられている。調整ネジ１１には、固定シャーシ１に係合するネジ部１１ａが設けられている。調整ネジ１１の上部には、裁頭円錐形状の頭部１１ｂが設けられている。また、支持部１２は、調整ネジ１１を、調整ネジ１１に対して可動シャーシ３が所定の角度傾くことが可能なように支持するように、可動シャーシ３に取り付けられている。また、支持部１２には、ガイド穴部１２ａが設けられている。この支持部１２のガイド穴部１２ａには、調整ネジ１１のネジ部１１ａが挿入されている。
【００３６】
また、本実施形態では、支持部１２のガイド穴部１２ａは、調整ネジ１１のネジ部１１ａに対して可動シャーシ３が所定の角度に傾くことが可能なような内面形状に形成されている。具体的には、支持部１２のガイド穴部１２ａは、挿入された調整ネジ１１のネジ部１１ａとの間に所定の遊びを有するような内径となるとともに、下方に行くにしたがって内径が大きくなるように形成されている。また、支持部１２のガイド穴部１２ａには、突起１２ｂが形成されている。
【００３７】
また、支持部１２の上部には、調整ネジ１１の裁頭円錐形状の頭部１１ｂの円錐面に当接する当接部１２ｃが設けられている。
【００３８】
ここで、本実施形態では、支持部１２の当接部１２ｃは、可動シャーシ３が傾くことに応じて調整ネジ１１の頭部１１ｂの円錐面に対して当接面が接触しながら移動可能なような丸形の曲面形状に形成されている。
【００３９】
また、可動シャーシ３のチルト機構９の近傍および支持突起部材６の近傍には、図１に示すように、フック部材１３が設けられている。固定シャーシ１のフック部材１３に対応する位置には、フック部材１３が係合するフック受部材１４が設けられている。このフック受部材１４は、フック部材１３が所定の遊びをもって係合することができるような形状に形成されている。フック部材１３とフック受部材１４とによって、可動シャーシ３と固定シャーシ１との間の距離が所定の距離以上に離れるのが防止される。
【００４０】
次に、図２および図３を参照して、本発明の一実施形態によるディスク装置のディスク駆動部のチルト機構の動作について説明する。
【００４１】
本発明の一実施形態によるディスク装置のディスク駆動部のチルト機構の動作としては、可動シャーシ３を上方向（図３中の矢印Ｄ方向）に傾ける場合には、調整ネジ１１を緩める方向に回す。可動シャーシ３のチルト機構側端部３ａは、圧縮コイルバネ１０によって上方向（図３中の矢印Ｄ方向）に付勢されているので、調整ネジ１１を緩めるのに伴って上方向に移動される。これにより、可動シャーシ３は、支持受部材７（図２参照）によって移動可能に支持された支持突起部材６（図２参照）を支点として上方向（図３中の矢印Ｄ方向）に傾けられる。また、可動シャーシ３を下方向（図３中の矢印Ｅ方向）に傾ける場合には、調整ネジ１１を締め付ける方向に回す。これにより、可動シャーシ３のチルト機構側端部３ａは、圧縮コイルバネ１０を収縮させながら、下方向（図３中の矢印Ｅ方向）に移動される。これにより、可動シャーシ３は、支持突起部材６（図２参照）を支点として下方向（図３中の矢印Ｅ方向）に傾けられる。
【００４２】
この際、本実施形態では、支持部１２のガイド穴部１２ａと調整ネジ１１のネジ部１１ａとの間に所定の遊びが存在するとともに、ガイド穴部１２ａは下方に行くにしたがって内径が大きくなるように形成されているため、可動シャーシ３は、支持部１２のガイド穴部１２ａの内面が調整ネジ１１のネジ部１１ａに当接することなく所定の角度まで傾けられる。その一方、可動シャーシ３を支持部１２のガイド穴部１２ａの内面によって設定された所定の角度以上に傾けようとしても、支持部１２のガイド穴部１２ａの内面が調整ネジ１１のネジ部１１ａに当接して、それ以上傾けることができない。
【００４３】
また、本実施形態では、支持部１２が、圧縮コイルバネ１０により常に上方向（図３中の矢印Ｄ方向）に付勢されている。これにより、可動シャーシ３は、支持部１２の当接部１２ｃが調整ネジ１１の頭部１１ｂの円錐面で常に支持されながら傾けられる。
【００４４】
本実施形態では、上記のように、可動シャーシ３を傾けることにより光ピックアップ５の傾き角度を調整するためのチルト機構９を、圧縮コイルバネ１０と、調整ネジ１１と、支持部１２とにより構成することによって、３つの部品でチルト機構９を構成することができる。これにより、少ない部品点数でチルト機構９を構成することができるので、チルト機構９に必要な部品点数を削減することができる。その結果、ディスク装置の製造コストを削減することができる。
【００４５】
また、本実施形態では、少ない部品点数でチルト機構９を構成することができるので、チルト機構９を組み立てる際の組立工程数を削減することができる。これにより、ディスク装置を製造する際の組立作業性を向上することができる。
【００４６】
また、本実施形態では、調整ネジ１１のネジ部１１ａが挿入される支持部１２のガイド穴部１２ａを、調整ネジ１１のネジ部１１ａに対して可動シャーシ３が所定の角度傾くことが可能なような内面形状を有するように形成することによって、支持部１２のガイド穴部１２ａの内面が調整ネジ１１のネジ部１１ａに当接することなく、可動シャーシ３を所定の角度まで傾けることができる。これにより、支持部１２のガイド穴部１２ａの内面が調整ネジ１１のネジ部１１ａに当接するのに起因して、可動シャーシ３を傾ける動作が妨げられるのを抑制することができる。また、可動シャーシ３を所定の角度以上に傾けようとした場合には、支持部１２のガイド穴部１２ａが調整ネジ１１に当接して、それ以上可動シャーシ３が傾くのが防止されるので、可動シャーシ３が所定の角度以上に傾けられることに起因する可動シャーシ３とディスクとの衝突を防止することができる。
【００４７】
また、本実施形態では、調整ネジ１１の頭部１１ｂに当接する支持部１２の当接部１２ｃを、可動シャーシ３が傾くことに応じて調整ネジ１１の頭部１１ｂに対して当接面が接触しながら移動可能な曲面形状に形成することによって、調整ネジ１１の頭部１１ｂで可動シャーシ３を常に支持しながら可動シャーシ３を傾けることができる。これにより、可動シャーシ３を傾けるときに可動シャーシ３の位置ずれが生じるのを抑制することができる。その結果、可動シャーシ３に支持された光ピックアップ５の傾き角度を正確に調整することができる。
【００４８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４９】
たとえば、上記実施形態では、調整ネジの頭部を支持するための支持部として、金属製の可動シャーシと別体に形成した樹脂製の支持部の当接部を用いたが、本発明はこれに限らず、金属製の可動シャーシに一体的に形成した金属製の支持部を用いてもよい。
【００５０】
また、上記実施形態では、可動シャーシを上方向に付勢するためのバネ部材として、圧縮コイルバネを用いたが、本発明はこれに限らず、引張りコイルバネや板バネなどの圧縮コイルバネ以外のバネ部材を用いてもよい。
【図面の簡単な説明】
【図１】本発明の一実施形態によるディスク装置のディスク駆動部を示した上面図である。
【図２】図１に対応するディスク駆動部の図１中の矢印Ａ方向から見た側面図である。
【図３】図１に示した本発明の一実施形態によるディスク装置のディスク駆動部のチルト機構部分を示した拡大側面図である。
【図４】従来の一例によるシャフトの長手方向に直交する方向の光ピックアップの傾き角度を正確に調整することが可能な１つのチルト機構を備えたディスク装置のディスク駆動部を示した上面図である。
【図５】図４に対応するディスク駆動部の図４中の矢印Ａ方向から見た側面図である。
【図６】図４に示した従来の一例によるディスク装置のディスク駆動部のチルト機構部分を示した拡大側面図である。
【符号の説明】
１  固定シャーシ
２  ディスクモータ
３  可動シャーシ
５  光ピックアップ
６  支持突起部材
７  支持受部材
９  チルト機構
１０  圧縮コイルバネ（バネ部材）
１１  調整ネジ
１１ａ  ネジ部
１１ｂ  頭部
１２  支持部
１２ａ  ガイド穴部
１２ｃ  当接部
【図１】
2004280983.tif 000003
【図２】
2004280983.tif 000004
【図３】
2004280983.tif 000005
【図４】
2004280983.tif 000006
【図５】
2004280983.tif 000007
【図６】
2004280983.tif 000008